(57)【特許請求の範囲】
【請求項１】
内容物を収容するための収容空間が備えられた容器ユニット；
前記容器ユニットに備えられた前記収容空間を開閉する蓋ユニット；
前記容器ユニットと前記蓋ユニットとの間を密閉させるパッキンユニット；及び
前記蓋ユニットが前記容器ユニット側へ移動回転することにより相互係合されるように形成される回転密着ユニット；を含み、
前記回転密着ユニットは、
前記パッキンユニットが接するように前記収容空間の入口側に備えられる密着翼部；
前記密着翼部に相互離間して突設される第１嵌合突部；
前記密着翼部に備えられ、相互隣接する二つの前記第１嵌合突部によって凹設される第１嵌合溝部；
前記収容空間の入口を囲むように前記蓋ユニットに突設される遮蔽リング部；
前記第１嵌合突部が挿入される回転経路溝を形成するように、前記第１嵌合溝部に対応して前記遮蔽リング部に相互離間して突設される第２嵌合突部；及び
前記遮蔽リング部に備えられ、前記回転経路溝に連通するように前記第１嵌合突部に対応して、相互隣接する二つの前記第２嵌合突部によって凹設される第２嵌合溝部；を含み、
前記容器ユニットに前記蓋ユニットを結合すると、前記第１嵌合突部は前記第２嵌合溝部に挿入され、前記第２嵌合突部は前記第１嵌合溝部に挿入され、前記容器ユニットと前記蓋ユニットとの相対回転によって、前記第１嵌合突部は前記回転経路溝を経て前記第２嵌合突部に相互係合され、
前記パッキンユニットは、
長さ方向に沿って貫通孔が長く設けられるパッキンボディ部；
前記パッキンボディ部の外周面に突設または凹設される密着ロック部；及び、
前記パッキンボディ部の周方向に沿った前記密着ロック部の縁部に前記パッキンボディ部の外周面に対して突設または凹設される密着固定部；を含む
ことを特徴とする密閉容器。
【請求項２】
内容物を収容するための収容空間が備えられた容器ユニット；
前記容器ユニットに備えられた前記収容空間を開閉する蓋ユニット；
前記容器ユニットと前記蓋ユニットとの間を密閉させるパッキンユニット；及び
前記蓋ユニットが前記容器ユニット側へ移動、回転することにより相互係合されるように形成される回転密着ユニット；を含み、
前記回転密着ユニットは、
前記パッキンユニットが接するように前記収容空間の入口側に備えられる密着翼部；
前記蓋ユニットの縁部に相互離間して突設される第１嵌合突部；
前記蓋ユニットの縁部に備えられ、相互隣接する二つの前記第１嵌合突部によって凹設される第１嵌合溝部；
前記蓋ユニットの縁部を囲むように前記密着翼部に突設される遮蔽リング部；
前記第１嵌合突部が挿入される回転経路溝を形成するように、前記第１嵌合溝部に対応して前記遮蔽リング部に相互離間して突設される第２嵌合突部；及び
前記遮蔽リング部に備えられ、前記回転経路溝に連通するように前記第１嵌合突部に対応して、相互隣接する二つの前記第２嵌合突部によって凹設される第２嵌合溝部；を含み、
前記容器ユニットに前記蓋ユニットを結合すると、前記第１嵌合突部は前記第２嵌合溝部に挿入され、前記第２嵌合突部は前記第１嵌合溝部に挿入され、前記容器ユニットと前記蓋ユニットとの相対回転によって、前記第１嵌合突部は前記回転経路溝を経て前記第２嵌合突部に相互係合され、
前記パッキンユニットは、
長さ方向に沿って貫通孔が長く設けられるパッキンボディ部；
前記パッキンボディ部の外周面に突設または凹設される密着ロック部；及び、
前記パッキンボディ部の周方向に沿った前記密着ロック部の縁部に前記パッキンボディ部の外周面に対して突設または凹設される密着固定部；を含む
ことを特徴とする密閉容器。
【請求項３】
前記パッキンユニットは、
前記貫通孔を区画するように、前記パッキンボディ部から前記貫通孔に突設されるパッキン支持部；をさらに含む
請求項１または２に記載の密閉容器。
【請求項４】
前記パッキン支持部は、
前記パッキンボディ部から高さ方向に延びる加圧支持部；及び
前記加圧支持部から前記パッキンボディ部の周方向に沿った前記密着ロック部の縁部側または前記密着固定部側に向かって下方傾斜するように延びる分散支持部；を含む
請求項３に記載の密閉容器。
【請求項５】
前記回転密着ユニットは、
前記第１嵌合突部に突設される第１係止部と、前記第２嵌合突部に対応して前記回転経路溝に突設される第２係止部のうちの少なくとも一つをさらに含む
請求項１または２に記載の密閉容器。
【請求項６】
前記第１係止部と前記第２係止部のうちの少なくとも一つは、前記蓋ユニットの回転方向に沿って複数個が段差を形成する
請求項５に記載の密閉容器。
【発明の詳細な説明】
【技術分野】
【０００１】
本発明は、密閉容器に係り、より具体的には、様々な内容物を容器ユニットに収納保管する際に、容器ユニットの密閉機能を向上させ、容器ユニットに対して蓋ユニットを強固に固定させることができる密閉容器に関する。
【背景技術】
【０００２】
一般に、野菜や果物、調理しようとする食品、調理された食品などを長時間腐敗しないように保管し、かつ食品が持っている特有のにおいが外に漏れないようにするために、蓋にパッキンが内蔵されており、このような蓋と容器本体とを分離可能に結合させて密封する密閉容器が使用されてきた。
【０００３】
この種の密閉容器は、上端が開放される容器本体と、容器本体の上端開口部に結合される蓋と、蓋と容器本体との間に隙間が発生しないように蓋底面の先端に沿って形成されるパッキン溝と、パッキン溝に挿入されるパッキンと、容器本体の上端縁に突設される係止突部と、蓋の外周縁に沿って一部分が外側にさらに延び、流線型に形成される翼部材とから構成される。特に、翼部材は、蓋の外周縁と一体に設けられるが、このとき、ヒンジ部の厚さが薄く形成されるので、このヒンジ部を中心に翼部材がフレキシブルに回動しながら係止突部に係合されることで容器本体の内部を密閉させる。
【０００４】
また、密閉容器は、上端が開放された容器本体と、容器本体の上端開口部に結合される蓋と、蓋と容器本体との間に隙間が発生しないように蓋底面の先端に沿って形成されるパッキン溝と、パッキン溝に挿入されるパッキンとを含んでなり、容器の上端外周縁のねじ山と蓋の内周縁のねじ山とが螺合されるように蓋を回転させて容器本体の内部を密閉させる。
【０００５】
しかし、このような密閉容器は、翼部材の反復回動動作によりヒンジ部が変形破損し、蓋から翼部材が分離されたりパッキンと容器本体との密着力が低下したりするという問題点があった。
【発明の概要】
【発明が解決しようとする課題】
【０００６】
本発明は、従来の問題点を解決するためのもので、その目的は、様々な内容物を容器ユニットに収納保管する際に、容器ユニットの密閉機能を向上させ、容器ユニットに対して蓋ユニットを強固に固定させることができる密閉容器を提供することにある。
【課題を解決するための手段】
【０００７】
上記目的を達成するための本発明の好適な実施例に係る密閉容器は、内容物を収容するための収容空間が備えられた容器ユニット；前記容器ユニットに備えられた前記収容空間を開閉する蓋ユニット；前記容器ユニットと前記蓋ユニットとの間を密閉させるパッキンユニット；及び前記蓋ユニットが前記容器ユニット側へ移動回転することにより相互係合されるように形成される回転密着ユニット；を含んでなり、前記回転密着ユニットは、前記パッキンユニットが接するように前記収容空間の入口側に備えられる密着翼部；前記密着翼部に相互離間して突設される第１嵌合突部；前記密着翼部に備えられ、相互隣接する二つの前記第１嵌合突部によって凹設される第１嵌合溝部；前記収容空間の入口を囲むように前記蓋ユニットに突設される遮蔽リング部；前記第１嵌合突部が挿入される回転経路溝を形成するように、前記第１嵌合溝部に対応して前記遮蔽リング部に相互離間して突設される第２嵌合突部；及び前記遮蔽リング部に備えられ、前記回転経路溝に連通するように前記第１嵌合突部に対応して、相互隣接する二つの前記第２嵌合突部によって凹設される第２嵌合溝部；を含み、前記容器ユニットに前記蓋ユニットを結合すると、前記第１嵌合突部は前記第２嵌合溝部に挿入され、前記第２嵌合突部は前記第１嵌合溝部に挿入され、前記容器ユニットと前記蓋ユニットとの相対回転によって、前記第１嵌合突部は前記回転経路溝を経て前記第２嵌合突部に相互係合される。
【０００８】
本発明に係る密閉容器は、内容物を収容するための収容空間が備えられた容器ユニット；前記容器ユニットに備えられた前記収容空間を開閉する蓋ユニット；前記容器ユニットと前記蓋ユニットとの間を密閉させるパッキンユニット；及び前記蓋ユニットが前記容器ユニット側へ移動回転することにより相互係合されるように形成される回転密着ユニット；を含んでなり、前記回転密着ユニットは、前記パッキンユニットが接するように前記収容空間の入口側に備えられる密着翼部；前記蓋ユニットの縁部に相互離間して突設される第１嵌合突部；前記蓋ユニットの縁部に備えられ、相互隣接する二つの前記第１嵌合突部によって凹設される第１嵌合溝部；前記蓋ユニットの縁部を囲むように前記密着翼部に突設される遮蔽リング部；前記第１嵌合突部が挿入される回転経路溝を形成するように、前記第１嵌合溝部に対応して前記遮蔽リング部に相互離間して突設される第２嵌合突部；及び前記遮蔽リング部に備えられ、前記回転経路溝に連通するように前記第１嵌合突部に対応して、相互隣接する二つの前記第２嵌合突部によって凹設される第２嵌合溝部；を含み、前記容器ユニットに前記蓋ユニットを結合すると、前記第１嵌合突部は前記第２嵌合溝部に挿入され、前記第２嵌合突部は前記第１嵌合溝部に挿入され、前記容器ユニットと前記蓋ユニットとの相対回転によって、前記第１嵌合突部は前記回転経路溝を経て前記第２嵌合突部に相互係合される。
【０００９】
ここで、前記パッキンユニットは、長さ方向に沿って貫通孔が長く設けられるパッキンボディ部；前記パッキンボディ部の外周面に突設または凹設される密着ロック部；及び前記パッキンボディ部の周方向に沿った前記密着ロック部の縁部に前記パッキンボディ部の外周面に対して突設または凹設される密着固定部；を含む。
【００１０】
ここで、前記パッキンユニットは、前記貫通孔を区画するように、前記パッキンボディ部から前記貫通孔に突出形成されるパッキン支持部；をさらに含む。
【００１１】
ここで、前記パッキン支持部は、前記パッキンボディ部から高さ方向に延びる加圧支持部；及び前記加圧支持部から前記パッキンボディ部の周方向に沿った前記密着ロック部の縁部側または前記密着固定部側に向かって下方傾斜するように延びる分散支持部；を含む。
【００１２】
ここで、前記回転密着ユニットは、前記第１嵌合突部に突設される第１係止部と、前記第２嵌合突部に対応して前記回転経路溝に突設される第２係止部のうちの少なくとも一つをさらに含む。
【００１３】
ここで、前記第１係止部と前記第２係止部のうちの少なくとも一つは、前記蓋ユニットの回転方向に沿って複数個が段差を形成する。
【発明の効果】
【００１４】
本発明の密閉容器によれば、様々な内容物を容器ユニットに収納保管する際に、容器ユニットの密閉機能を向上させ、容器ユニットに対して蓋ユニットを強固に固定させることができる。
【００１５】
また、本発明は、パッキンユニットの詳細構成によって容器ユニットとの接触面積を増大させ、パッキンボディ部が密閉溝上で定位置するようにし、容器ユニットと蓋ユニット間の加圧力によって密着ロック部と密着固定部が密閉溝に挿入されることを防止し、密閉溝に対してパッキンユニットを簡単に着脱することができる。
【００１６】
また、本発明は、パッキンユニットの詳細構成によってパッキンボディ部の弾性力を増大させ、パッキンユニットの歪みまたはパッキンユニットのねじれを防止し、容器ユニットに対して蓋ユニットが回転するときにパッキンユニットの摩擦力を最小化することができる。
【００１７】
また、本発明は、パッキンユニットの詳細構成によってパッキンボディ部の弾性変形を阻止させながら、パッキンユニットに加わる力（圧力）を分散させ、密着ロック部に均一な加圧力を提供し、密着ロック部と密着翼部との間の密閉力を増大させることができる。
【００１８】
また、本発明は、回転密着ユニットによって回転方式とフック方式を組み合わせて容器ユニットと蓋ユニットを簡単に着脱することができ、パッキンユニットの接触面積を増大させて容器ユニットの密閉力を向上させることができる。
【００１９】
また、本発明は、蓋ユニットの詳細構成によってパッキンユニットの分離、洗浄、結合を便利にし、密閉容器の衛生管理を簡便にし、パッキンユニットを安定して固定させることができる。また、容器ユニットの収容空間に残留する空気の排出を便利にし、容器ユニットに収容される内容物の酸敗を減らすことができる。
【００２０】
また、本発明は、回転密着ユニットの詳細構成によって結合状態でパッキンユニットが外気と接触することを抑制または防止し、パッキンユニットの密着力を増大させ、嵌合突部と嵌合溝部との嵌合及び嵌合突部同士の重畳を簡便にし、容器ユニットと蓋ユニットとの結合安定性を向上させることができる。
【００２１】
また、本発明は、回転密着ユニットの詳細構成によって嵌合突部同士の重畳状態を維持させ、別途の外部からの衝撃によって容器ユニットから蓋ユニットが分離されることを防止し、パッキンユニットを加圧支持してパッキンユニットの弾性変形状態を維持させることができる。また、本発明は、嵌合突部同士の重畳状態でパッキンユニットの加圧力を増大させ、パッキンユニットによる密閉力を向上させることができる。また、本発明は、構造を単純化し、製作を簡便にすることができる。
【図面の簡単な説明】
【００２２】
【図１】本発明の一実施例に係る密閉容器を示す斜視図である。
【図２】本発明の一実施例に係る密閉容器を示す分解図である。
【図３】本発明の一実施例に係るパッキンユニットを示す断面図である。
【図４】本発明の一実施例に係る密閉容器における容器ユニットに備えられた回転密着ユニットを示す底面図である。
【図５】本発明の一実施例に係る密閉容器における蓋ユニットに備えられた回転密着ユニットを示す底面図である。
【図６】本発明の一実施例に係る密閉容器の結合状態を示す分解断面図である。
【図７】本発明の一実施例に係る密閉容器の結合状態を示す結合断面図である。
【図８】本発明の一実施例に係る密閉容器における回転密着ユニットの結合状態を示す断面図である。
【図９】本発明の一実施例に係る密閉容器における回転密着ユニットの他の結合状態を示す断面図である。
【発明を実施するための形態】
【００２３】
以下、添付図面を参照して、本発明に係る密閉容器の一実施例を説明する。このとき、本発明は、実施例によって制限または限定されるものではない。また、本発明を説明するにあたり、公知の機能或いは構成についての具体的な説明は本発明の要旨を明確にするために省略できる。
【００２４】
図１は本発明の一実施例に係る密閉容器を示す斜視図、図２は本発明の一実施例に係る密閉容器を示す分解図、図３は本発明の一実施例に係るパッキンユニットを示す断面図、図４は本発明の一実施例に係る密閉容器における容器ユニットに備えられた回転密着ユニットを示す底面図、図５は本発明の一実施例に係る密閉容器における蓋ユニットに備えられた回転密着ユニットを示す底面図、図６は本発明の一実施例に係る密閉容器の結合状態を示す分解断面図、図７は本発明の一実施例に係る密閉容器の結合状態を示す結合断面図、図８は本発明の一実施例に係る密閉容器における回転密着ユニットの結合状態を示す断面図、図９は本発明の一実施例に係る密閉容器における回転密着ユニットの他の結合状態を示す断面図である。
【００２５】
図１乃至図９を参照すると、本発明の一実施例に係る密閉容器は、容器ユニット１０と、蓋ユニット２０と、パッキンユニット３０と、回転密着ユニット４０とを含む。
【００２６】
前記容器ユニット１０は、保管のための内容物を収容する。前記容器ユニット１０には、内容物を収容するための収容空間１１が設けられる。ここで、前記容器ユニット１０は、平断面形状または前記収容空間１１の入口の断面形状を限定するものではなく、断面円形、断面楕円形、断面多角形などの様々な形状とすることができる。
【００２７】
前記容器ユニット１０の入口の縁部には後述の密着翼部４１が備えられる。
【００２８】
前記蓋ユニット２０は、前記容器ユニット１０に備えられた前記収容空間１１を開閉する。前記蓋ユニット２０は弾性板部２１と固定板部２２を含むことができる。
【００２９】
前記弾性板部２１は、弾性をもって外力によって弾性変形する。前記弾性板部２１は、前記収容空間１１の入口の断面形状と同じ或いはそれより小さいサイズの板状とすることができる。
【００３０】
前記固定板部２２は前記弾性板部２１の縁部を囲んで支持する。前記固定板部２２は、前記弾性板部２１よりも硬く、若干の弾性を持つことができるが、実質的には前記蓋ユニット２０の外観形状を維持させることができる。
【００３１】
前記固定板部２２には前記密閉溝２４が形成できる。
【００３２】
前記蓋ユニット２０には、前記パッキンユニット３０の嵌合のための密閉溝２４が凹設できる。前記密閉溝２４は、前記パッキンボディ部３１が密着挿入されるようにする。前記密閉溝２４の入口には、前記密着固定部３４が支持されるように制限顎部２５が備えられる。前記制限顎部２５は、前記密着固定部３４を支持し、前記密着固定部３４が前記密閉溝２４に挿入されることを阻止する。
【００３３】
前記蓋ユニット２０には把持突部２６が突設できる。前記把持突部２６は、ユーザーが前記蓋ユニット２０を前記容器ユニット１０側に押して回転させるとき、前記ユーザーとの接触面積または摩擦力を増大させて前記容器ユニット１０に対して前記蓋ユニット２０を容易に押して回転させることができる。
【００３４】
前記パッキンユニット３０は、前記容器ユニット１０と前記蓋ユニット２０との間を密閉させる。前記パッキンユニット３０は、弾性をもって外力によって弾性変形するようにする。
【００３５】
前記パッキンユニット３０は、パッキンボディ部３１と、密着ロック部３３と、密着固定部３４とを含み、パッキン支持部３５をさらに含むことができる。
【００３６】
前記パッキンボディ部３１は、中空のリング状に後述の容器ユニット１０の収容空間１１の入口に対応して無限軌道を形成する。前記パッキンボディ部３１には、長さ方向に沿って貫通孔３２が長く穿設される。前記パッキンボディ部３１は、断面円形の形状をするが、これに限定されるものではなく、断面楕円形、断面多角形などの様々な形状とすることができる。
【００３７】
前記密着ロック部３３は前記パッキンボディ部３１の外周面に突設または凹設される。前記密着ロック部３３は、前記パッキンボディ部３１の長さ方向に沿って長く形成され、複数個が突設または凹設できる。これにより、複数の前記密着ロック部３３は、前記パッキンボディ部３１の外周の一部に凹凸形状の断面を成すことができる。ここで、前記密着ロック部３３の断面形状を限定するものではなく、断面円形、断面楕円形、断面多角形などの様々な形状とすることができる。
【００３８】
前記密着ロック部３３は、後述する容器ユニット１０に対して蓋ユニット２０が結合されるとき、弾性変形しながら容器ユニット１０側に密着支持される。
【００３９】
前記密着固定部３４は、前記パッキンボディ部３１の周方向に沿った前記密着ロック部３３の縁部に前記パッキンボディ部３１の外周面に対して突設または凹設される。前記密着固定部３４は、前記パッキンボディ部３１の長さ方向に沿って長く形成できる。前記密着固定部３４は、図１のような前記密着ロック部３３の両側に形成できる。これにより、前記密着固定部３４同士の間には前記密着ロック部３３が備えられ得る。また、前記密着固定部３４は前記密着ロック部３３の一側に形成されてもよい。
【００４０】
前記密着固定部３４は、後述する蓋ユニット２０の密閉溝２４の入口に支持され、弾性変形によって前記密着ロック部３３が密閉溝２４に挿入されることを防止することができる。
【００４１】
前記パッキン支持部３５は、前記貫通孔３２を区画するように、前記パッキンボディ部３１から前記貫通孔３２に突出形成される。前記パッキン支持部３５は、前記パッキンボディ部３１の貫通孔３２の内周面に沿って複数個が相互離間して備えられ得る。
【００４２】
特に、前記パッキン支持部３５は、前記パッキンボディ部３１の周方向に沿った前記密着ロック部３３の縁部側または前記密着固定部３４側から上方傾斜するように前記貫通孔３２に突出形成できる。また、前記パッキン支持部３５は、前記貫通孔３２の中心から複数個が放射状に配置されて前記パッキンボディ部３１に連結できる。
【００４３】
これにより、前記パッキンユニット３０が弾性変形するとき、前記パッキンボディ部３１と前記密着ロック部３３の弾性変形を制限し、密着力を増大させることができる。
【００４４】
前記パッキン支持部３５は加圧支持部３６と分散支持部３８を含むことができる。
【００４５】
前記加圧支持部３６は、前記パッキンボディ部３１から高さ方向に延びる。前記加圧支持部３６は、前記パッキンボディ部３１の高さ方向に対して前記貫通孔３２の上端部と前記分散支持部とを連結することができる。図示してはいないが、前記加圧支持部３６は、前記パッキンボディ部３１の高さ方向に対して前記貫通孔３２の上端部と前記貫通孔３２の下端部とを連結して前記密着ロック部３３の中心部分を支持することができる。
【００４６】
前記加圧支持部３６は、前記パッキンユニット３０が弾性変形するとき、前記パッキンボディ部の高さ方向に沿った弾性変形を制限し、前記密着ロック部３３と前記密着固定部３４が後述の蓋ユニット２０の密閉溝２４に挿入されることを抑制または防止することができる。
【００４７】
前記分散支持部３８は、前記加圧支持部３６から下方傾斜するように延びる。前記分散支持部３８は、前記加圧支持部３６と、前記パッキンボディ部３１の周方向に沿った前記密着ロック部３３の端部側とを連結することができる。また、前記分散支持部３８は、前記加圧支持部３６と前記密着固定部３４側とを連結することができる。
【００４８】
前記分散支持部３８は、前記パッキンユニット３０が弾性変形するとき、前記密着ロック部３３が拡張されるようにして前記密着ロック部３３の接触面積を拡張させ、前記密着固定部３４を支持して前記密着固定部３４が後述の蓋ユニット２０の密閉溝２４に挿入されることを抑制または防止することができる。
【００４９】
前記パッキンユニット３０は前記蓋ユニット２０に備えられる。
【００５０】
前記パッキンユニット３０は、前記蓋ユニット２０に備えられる密閉溝２４に着脱可能に挿入できる。このため、前記パッキンユニット３０は、前記密着ロック部３３と前記密着固定部３４が露出または突出するように前記パッキンボディ部３１が前記密閉溝２４に挿入できる。
【００５１】
また、前記パッキンユニット３０は前記蓋ユニット２０に一体に形成できる。前記パッキンユニット３０は、二重射出または別途の成形工程によって前記蓋ユニット２０に一体に形成できる。
【００５２】
前記回転密着ユニット４０は、前記蓋ユニット２０が前記容器ユニット１０側へ移動、回転することにより２つの部材が相互係合されるように形成される。
【００５３】
前記回転密着ユニット４０は、密着翼部４１と、第１嵌合突部４１１と、第１嵌合溝部４１２と、遮蔽リング部４３と、第２嵌合突部４２１と、第２嵌合溝部４２２とを含み、補助翼部４２をさらに含むことができる。
【００５４】
前記密着翼部４１は、前記パッキンユニット３０が接するように前記収容空間１１の入口に備えられる。前記密着翼部４１には、前記密着ロック部３３が接するか、或いは前記密着ロック部３３及び前記密着固定部３４が接することができる。前記密着翼部４１には、前記容器ユニット１０に対して前記蓋ユニット２０が回転するとき、前記密着ロック部３３の移動経路を形成するように密着部４１４が備えられてもよい。前記密着部４１４は、前記密着翼部４１に凹設または突設されてもよく、回転に応じて前記密着ロック部３３の移動をスムーズにし、前記密着ロック部３３との接触面積を増大させることができる。
【００５５】
図示してはいないが、前記密着翼部４１は、前記収容空間１１の入口から上方傾斜するように備えられてもよい。この時、前記弾性板部２１に対して、前記固定板部２２の全部または一部は前記密着翼部４１と実質的に平行に曲げられることが有利である。前記密着翼部４１が上方傾斜をなすため、前記パッキンユニット３０と前記密着翼部４１との密着力をさらに増大させることができる。
【００５６】
前記第１嵌合突部４１１は、前記密着翼部４１に前記容器ユニット１０の周囲に沿って相互離間して突設される。
【００５７】
前記第１嵌合溝部４１２は前記密着翼部４１に備えられる。前記第１嵌合溝部４１２は、相互隣接する２つの前記第１嵌合突部４１１によって凹設される。
【００５８】
前記遮蔽リング部４３は、前記密着翼部４１を囲むように前記蓋ユニット２０に突設される。前記遮蔽リング部４３は、前記蓋ユニット２０と交差するように前記蓋ユニット２０の縁部に突設される。前記遮蔽リング部４３には、ユーザーの把持のための前記把持突部２６が備えられ得る。
【００５９】
前記遮蔽リング部４３は、前記容器ユニット１０と前記蓋ユニット２０との結合の際に側面部に前記パッキンユニット３０が露出されることを防止することができ、外観を美麗にすることができる。
【００６０】
前記第２嵌合突部４２１は、前記第１嵌合突部４１１が挿入される回転経路溝４４を形成するように前記遮蔽リング部４３に相互離間して突設される。前記第２嵌合突部４２１は、前記第１嵌合溝部４１２に対応して前記遮蔽リング部４３に突設される。
【００６１】
前記第２嵌合溝部４２２は前記遮蔽リング部４３に備えられる。前記第２嵌合溝部４２２は、前記回転経路溝に連通するように、相互隣接する２つの前記第２嵌合突部４２１によって凹設される。前記第２嵌合溝部４２２は、前記第１嵌合突部４１１に対応して前記遮蔽リング部４３に凹設される。
【００６２】
前記第２嵌合突部４２１と前記第２嵌合溝部４２２は、前記遮蔽リング部４３から延びる補助翼部４２に備えられてもよい。
【００６３】
前記容器ユニット１０に前記蓋ユニット２０を結合すると、第１嵌合突部４１１は前記第２嵌合溝部４２２に挿入され、前記第２嵌合突部４２１は前記第１嵌合溝部４１２に挿入される。そして、前記容器ユニット１０と前記蓋ユニット２０との相対回転によって前記第１嵌合突部４１１が前記回転経路溝４４に沿って移動しながら、前記第２嵌合突部４２１と重畳するように嵌合されて前記容器ユニット１０に対して前記蓋ユニット２０を固定させることができる。この際、前記パッキンユニット３０は、前記密着翼部４１と前記蓋ユニット２０との間で弾性変形して少なくとも前記密着ロック部３３が前記密着翼部４１に密着支持される。
【００６４】
このとき、前記回転密着ユニット４０は、図８及び図９に示すように、第１係止部４１３と第２係止部４４２のうちの少なくとも一つをさらに含むことができる。前記第１係止部４１３は、前記第１嵌合突部４１１に突設また凹設され、前記第２係止部４４２は、前記第２嵌合突部４２１に対応して前記回転経路溝４４に突設または凹設される。
【００６５】
すると、突設される前記第１係止部４１３と前記第２係止部４４２のうちのいずれか一つは、前記回転経路溝４４に密着支持されて前記容器ユニット１０に対して前記蓋ユニット２０を安定して固定させることができる。特に、前記第１係止部４１３と前記第２係止部４４２の両方が備えられる場合、前記第１嵌合突部４１１と前記第２嵌合突部４２１との相互係合に対応して、前記第１係止部４１３と前記第２係止部４４２とは相互係合されて前記容器ユニット１０に対して前記蓋ユニット２０を安定して固定させることができる。
【００６６】
また、前記第１係止部４１３と前記第２係止部４４２のうちの少なくとも一つは、図８及び図９に示すように、前記回転経路溝４４に沿って複数個が段差を形成することができる。
【００６７】
これにより、前記第１嵌合突部４１１と前記第２嵌合突部４２１とが相互係合されることにより、前記容器ユニット１０と前記蓋ユニット２０との間隔を狭めて前記パッキンユニット３０による接触面積と密着力を増大させることができる。
【００６８】
図示してはいないが、前記回転密着ユニット４０は次のとおり変形できる。
【００６９】
前記回転密着ユニット４０は、密着翼部４１と、第１嵌合突部４１１と、第１嵌合溝部４１２と、遮蔽リング部４３と、第２嵌合突部４２１と、第２嵌合溝部４２２とを含み、補助翼部４２をさらに含むことができる。
【００７０】
前記密着翼部４１は、上述したように前記収容空間１１の入口側に備えられる。
【００７１】
前記第１嵌合突部４１１は、前記蓋ユニット２０の縁部に相互離間して突設される。
【００７２】
前記第１嵌合溝部４１２は、前記蓋ユニット２０の縁部に備えられ、相互隣接する二つの前記第１嵌合突部４１１によって凹設される。
【００７３】
前記遮蔽リング部４３は、前記蓋ユニット２０の縁部を囲むように前記密着翼部４１に突設される。前記遮蔽リング部４３には、ユーザーの把持のための前記把持突部２６が備えられてもよい。
【００７４】
前記第２嵌合突部４２１は、前記第１嵌合突部４１１が挿入される回転経路溝４４を形成するように、前記第１嵌合溝部４１２に対応して前記遮蔽リング部４３に相互離間して突設される。
【００７５】
前記第２嵌合溝部４２２は、前記遮蔽リング部４３に備えられ、前記回転経路溝４４に連通する。前記第２嵌合溝部は、前記第１嵌合突部４１１１に対応して、相互隣接する二つの前記第２嵌合突部４２１によって凹設される。
【００７６】
前記第２嵌合突部４２１と前記第２嵌合溝部４２２は、前記遮蔽リング部４３から延びる補助翼部４２に備えられてもよい。
【００７７】
図示してはいないが、前記容器ユニット１０と前記蓋ユニット２０のうちのいずれかには、ユーザーが把持するためのハンドル（図示せず）が備えられてもよい。前記ハンドル（図示せず）は、前記容器ユニット１０または前記蓋ユニット２０に対して着脱可能である。前記ハンドル（図示せず）が備えられることにより密閉容器の移動または運搬を便利にし、密閉容器を移動または運搬するとき、ユーザーは、前記容器ユニット１０または前記蓋ユニットに直接接触しなくてもよく、ユーザーの体温によって、前記収容空間１１に収容された内容物が変質することを防止することができる。
【００７８】
上述した密閉容器によれば、様々な内容物を前記容器ユニット１０に収納保管する際に、前記容器ユニット１０の密閉機能を向上させ、前記容器ユニット１０に対して前記蓋ユニット２０を堅固に固定させることができる。
【００７９】
また、前記パッキンユニット３０の詳細構成によって前記容器ユニット１０との接触面積を増大させ、前記パッキンボディ部３１が前記密閉溝２４上で定位置するようにし、前記容器ユニット１０と前記蓋ユニット２０との加圧力によって、前記密着ロック部３３と前記密着固定部３４が前記密閉溝２４に挿入されることを防止し、前記密閉溝２４に対して前記パッキンユニット３０を容易に着脱することができる。
【００８０】
また、前記パッキンユニット３０の詳細構成によって前記パッキンボディ部３１の弾性力を増大させ、前記パッキンユニット３０の歪みまたは前記パッキンユニット３０のねじれを防止し、前記容器ユニット１０に対して前記蓋ユニット２０が回転するとき、前記パッキンユニット３０の摩擦力を最小化することができる。
【００８１】
また、前記パッキンユニット３０の詳細構成によって前記パッキンボディ部３１の弾性変形を阻止させながら、前記パッキンユニット３０に加わる力（圧力）を分散させ、前記密着ロック部３３に均一な加圧力を提供し、前記密着ロック部３３と前記密着翼部４１との間の密閉力を増大させることができる。
【００８２】
また、前記蓋ユニット２０の詳細構成によって前記パッキンユニット３０の分離、洗浄、結合を便利にし、密閉容器の衛生管理を簡便にし、前記パッキンユニット３０を安定して固定させることができる。また、前記容器ユニット１０の前記収容空間１１に残留する空気の排出を便利にし、前記容器ユニット１０に収容される内容物の酸敗を減らすことができる。
【００８３】
また、前記回転密着ユニット４０を介して回転方式とフック方式を組み合わせて前記容器ユニット１０と前記蓋ユニット２０を簡便に着脱することができ、前記パッキンユニット３０の接触面積を増大させて前記容器ユニット１０の密閉力を向上させることができる。
【００８４】
また、前記回転密着ユニット４０の詳細構成によって結合状態で前記パッキンユニット３０が外気と接触することを抑制または防止し、前記パッキンユニット３０の密着力を増大させ、前記嵌合突部と前記嵌合溝部との嵌合及び前記嵌合突部同士の重畳を簡便にし、前記容器ユニット１０と前記蓋ユニット２０との結合安定性を向上させることができる。また、前記回転密着ユニット４０の詳細構成によって前記嵌合突部同士の重畳状態を維持させ、別途の外部からの衝撃によって前記容器ユニット１０から前記蓋ユニット２０が分離されることを防止し、前記パッキンユニット３０を加圧支持して前記パッキンユニット３０の弾性変形状態を維持させることができる。また、前記回転密着ユニット４０の詳細構成によって前記嵌合突部同士の重畳状態で前記パッキンユニット３０の加圧力を増大させ、前記パッキンユニット３０による密閉力を向上させることができる。また、前記回転密着ユニット４０の詳細構成によって構造を単純化し、製作を簡便にすることができる。
【００８５】
上述したように、図面を参照して本発明の好適な実施例を説明したが、当該技術分野における熟練した当業者であれば、請求の範囲に記載された本発明の思想及び領域から逸脱しない範囲内で本発明を多様に修正または変更することができる。
【産業上の利用可能性】
【００８６】
本発明は、野菜や果物、調理しようとする食品、調理された食品などを長時間腐敗しないように保管し、かつ食品が持っている特有のにおいが外に漏れないようにする密閉容器に適用可能である。
【図１】
0006446558.tif 000002
【図２】
0006446558.tif 000003
【図３】
0006446558.tif 000004
【図４】
0006446558.tif 000005
【図５】
0006446558.tif 000006
【図６】
0006446558.tif 000007
【図７】
0006446558.tif 000008
【図８】
0006446558.tif 000009
【図９】
0006446558.tif 000010